(57)【要約】【課題】分岐ダクトの下方に位置する商品棚の商品載置スペースを十分確保することのできるショーケースを提供する。【解決手段】分岐ダクト４０を商品棚の支持部材２２の間に位置するように設けたので、分岐ダクト４０の下方の商品棚２０の商品載置面から分岐ダクト４０の下面までの高さを十分に確保することができ、他の商品棚２０と同様の高さの商品を陳列することができる。また、分岐ダクト４０の上面を後端側が前面側に対して低くなるように段差部４１ｃが設けられているので、分岐ダクト４０の上部に位置する商品棚２０と分岐ダクト４０の上面との間に空間を形成することができ、形成された空間に電気ヒータのコード類を収納できるとともに、上部の商品棚２０を加熱している場合には、加熱する商品棚２０と冷却する商品棚２０との間の断熱性の向上を図ることができる。【選択図】図３
2005114178.tif 000002
【特許請求の範囲】
【請求項１】
前面を開口したショーケース本体と、ショーケース本体内に配置された上下複数段の商品棚と、ショーケース本体内の底面側、背面側及び上面側に沿って形成された通風路と、通風路内に配置された冷却器及び送風機と、背面側通風路の上下方向所定位置からショーケース本体の前面側に延びる分岐ダクトとを備え、ショーケース本体の前面開口部の下端側から通風路内に吸入した空気を冷却器によって冷却し、その少なくとも一部の空気を背面側通風路から分岐ダクトを介してショーケース本体の前面側に吐出するようにしたショーケースにおいて、
前記分岐ダクトを、前記商品棚の左右両端を支持する一対の支持部材の間に配置した
ことを特徴とするショーケース。
【請求項２】
前記分岐ダクトの上面に前面側に対して背面側が低くなる段差部を設けた
ことを特徴とする請求項１記載のショーケース。
【請求項３】
前記分岐ダクトの左右両端にショーケース本体の内側面との間を上下に仕切る仕切部材を設けた
ことを特徴とする請求項１または２記載のショーケース。
【請求項４】
前記分岐ダクトをショーケース本体に着脱自在に設けた
ことを特徴とする請求項１、２または３記載のショーケース。
【発明の詳細な説明】
【技術分野】
【０００１】
本発明は、例えばコンビニエンスストア等の店舗に設置されるショーケースに関するものである。
【背景技術】
【０００２】
従来、この種のショーケースとしては、前面を開口したショーケース本体と、ショーケース本体内に取付けられた上下複数段の商品棚と、ショーケース本体内の底面側、背面側及び上面側に沿って形成された通風路と、通風路内に配置された冷却器及び送風機とを備え、ショーケース本体の前面開口部の下端側から通風路内に吸入した空気を冷却器によって冷却し、ショーケース本体の前面開口部の上端側から吐出することにより、ショーケース本体内の商品を冷却するようにしたものが知られている。
【０００３】
また、ショーケース本体内の上側の商品棚の商品を加熱し、下側の商品棚の商品を冷却するようにしたものとして、ショーケース本体の背面側の通風路を上下方向所定位置からショーケース本体の前面側に冷気を流通させるように分岐ダクトを設けることによって下側の商品棚の商品のみを冷却し、上側の商品棚の商品を電熱ヒータによって、加熱するようにしたものが知られている（例えば、特許文献１参照）。
【特許文献１】特開２００２−１６８５５４号公報
【発明の開示】
【発明が解決しようとする課題】
【０００４】
しかしながら、前記ショーケースでは、分岐ダクトが商品棚を左右両端で支持する支持部材の下部に配置されているため、分岐ダクトの下方に位置する商品棚上の高さ方向のスペースが他の商品棚よりも小さくなり、他の商品棚と同様の高さの商品を載置することができないという問題点があった。
【０００５】
本発明は前記問題点に鑑みてなされたものであり、その目的とするところは、分岐ダクトの下方に位置する商品棚の商品載置スペースを十分確保することのできるショーケースを提供することにある。
【課題を解決するための手段】
【０００６】
本発明は前記目的を達成するために、本発明では、前面を開口したショーケース本体と、ショーケース本体内に配置された上下複数段の商品棚と、ショーケース本体内の底面側、背面側及び上面側に沿って形成された通風路と、通風路内に配置された冷却器及び送風機と、背面側通風路の上下方向所定位置からショーケース本体の前面側に延びる分岐ダクトとを備え、ショーケース本体の前面開口部の下端側から通風路内に吸入した空気を冷却器によって冷却し、その少なくとも一部の空気を背面側通風路から分岐ダクトを介してショーケース本体の前面側に吐出するようにしたショーケースにおいて、前記分岐ダクトを、前記商品棚の左右両端を支持する一対の支持部材の間に配置している。これにより、分岐ダクトが商品棚の支持部材の間に配置されることから、分岐ダクトの下部の商品棚の商品載置面から分岐ダクトの下面までの高さが十分に確保される。
【発明の効果】
【０００７】
本発明によれば、分岐ダクトの下方の商品棚の商品載置面から分岐ダクトの下面までの高さを十分に確保することができるので、分岐ダクトの下方の商品棚にも高さ寸法の大きい商品を陳列することができる。
【発明を実施するための最良の形態】
【０００８】
図１乃至図９は本発明の一実施形態を示すもので、図１はショーケースの斜視図、図２はショーケースの正面図、図３はショーケースの側面断面図、図４はショーケースの要部斜視図、図５は分岐ダクトの平面図、図６は分岐ダクトの側面断面図、図７は分岐ダクトの正面断面図、図８及び図９は分岐ダクトを取外す動作を示す側面図である。
【０００９】
このショーケースは、前面を開口したショーケース本体１０と、ショーケース本体１０内に取付けられた上下複数段の商品棚２０と、ショーケース本体１０内の上面側、背面側及び底面側に沿って形成された通風路３０と、背面側の通風路３０の所定位置から前方に延びる分岐ダクト４０と、通風路３０内に配置された冷却器５０及び送風機６０とから構成されている。
【００１０】
ショーケース本体１０は、上面側、背面側及び底面側をそれぞれ断熱壁１０ａ，１０ｂ，１０ｃによって囲まれ、左右両側面はそれぞれ略コ字状の断熱壁１１とガラス板１２によって覆われている。
【００１１】
各商品棚２０は、商品を載置する棚板２１と、棚板２１の左右両端側を支持する一対の支持部材２２とからなり、各支持部材２２の後端部はショーケース本体１０に支持されている。棚板２１はその前端側を支持部材２２の前端側に連結ピン２１ａを介して回動自在に連結され、棚板２１の後端側に設けられた長孔２１ｂには棚板２１を所定角度に保持する固定部材２１ｃが挿入されている。また、各棚板２１には図示しない電気ヒータが設けられている。各支持部材２２の下部には、それぞれ内側に屈曲し且つ前後方向に延びるガイドレール部２２ａが設けられ、ガイドレール部２２ａによって分岐ダクト４０を保持するようになっている。また、各ガイドレール部２２ａの前端側には分岐ダクト４０を前後方向に着脱自在に固定するストッパ部２２ｂが設けられ、ストッパ部２２ｂは前後方向に延びる板状の部材を屈曲することにより形成されている。
【００１２】
通風路３０は、上面側、背面側及び底面側断熱壁１０ａ，１０ｂ，１０ｃの各内面側と、各断熱壁１０ａ，１０ｂ，１０ｃと間隔をおいて設けられた上面板３１、背面板３２及び底板３３との間に形成されている。また、ショーケース本体１０の前面開口部の下端には空気吸入口３４が設けられ、上端には空気吐出口３５が設けられている。背面板３２には左右方向に伸びる上下複数のダクト取付孔３２ａが蓋３２ｂによって開閉自在に設けられている。
【００１３】
分岐ダクト４０は、前端側及び後端側が開口された前後方向に延びるダクト部４１と、ダクト部４１の後端側に取付けられたダンパ部４２と、ダクト部４１の左右両端に取付けられた一対のフランジ部４３と、各フランジ部４３の上部に取付けられた一対のレール部４４と、各フランジ部４３の左右両端に取付けられ、庫内を上下に仕切る一対の仕切部材４５とを有している。ダクト部４１は幅方向の寸法が各支持部材２２の間隔よりもやや小さく、前後方向の寸法は商品棚２１の前後方向の寸法よりも大きく形成され、前端側の開口部４１ａは下方に臨むように左右方向に延び、後端側の開口部４１ｂは背面側に向けて左右方向に延びるように形成されている。また、ダクト部４１の上面には前端側に対して後端側の高さが低くなるような段差部４１ｃが設けられている。ダンパ部４２は板状の部材からなり、左右両端部に設けられた板状の摺動部４２ａにはダクト部４１内部の上面に取付けられた摺動受部４１ｄが係合している。即ち、摺動部４２ａが摺動することにより、ダンパ部４２がダクト部４１内の上面に沿って前後方向に移動するようになっている。また、ダンパ部４２の前端側には下方にＬ字状に屈曲した一対の操作片４２ｂが設けられている。操作片４２ｂはダクト部４１の下面に設けられた前後方向に延びる長孔４１ｅに化粧ビス４２ｃを介して連結され、長孔４１ｅの範囲内で前後方向に移動可能に設けられている。また、ダンパ部４２の後端側はパッキン４２ｄを介して背面側通風路の背面側に当接するようになっている。各フランジ部４３はダクト部４１の左右両側の下部に前後方向に延びるように設けられた板状の部材からなり、それぞれレール部４４及び仕切部材４５が取付けられている。各レール部４４は各フランジ部４３の上面に前後方向に延びるように取付けられ、ガイドレール部２２ａと係合するようにそれぞれ左右両側面に向くように設けられている。各仕切部材４５は樹脂製の断面Ｌ字状の部材からなり、その前後両端側に長孔４５ａを設けることにより、長孔４５ａに挿入したネジ４５ｂによって左右方向任意の位置に移動できるようになっている。
【００１４】
冷却器５０は、冷媒流通用の銅製の配管及びフィンからなり、背面側通風路内３０に配置されている。また、冷却器５０は図示しない冷凍機に接続されている。
【００１５】
送風機６０は、底面側通風路３０内に配置され、ファンダクト６０ａに取付けられている。
【００１６】
以上のように構成されたショーケースにおいては、前面開口部下端の空気吸入口３４から送風機６０によって通風路３０内に吸入された空気が冷却器５０によって冷却され、前面開口部上端の空気吐出口３５から冷気が吐出されるこれにより、ショーケース本体１０の前面にエアカーテンが形成され、ショーケース本体１０内が冷却される。
【００１７】
ここで、分岐ダクト４０を取付けるときは、まず、分岐ダクト４０を取付けるダクト取付孔３２ａを覆う蓋３２ｂを開放して、商品棚２０のガイドレール部２２ａと分岐ダクト４０のレール部４４を係合させ、分岐ダクト４０の前端がガイドレール部２２ａの前端に位置するストッパ部２２ｂと係合するまで分岐ダクト４０を背面側に移動させる。更に、ダクト部４１の下面に位置する化粧ビス４２ｃを後方に移動させることにより、ダンパ部４２の後端を通風路３０内の背面側に当接させ、ショーケース本体１０内の左右側面に仕切部材４５を当接させることにより、分岐ダクト４０の上部側と下部側でショーケース本体１０内が分離される。これにより、背面側通風路３０内がダンパ部４２によって閉鎖されることから、空気吸入口３４から通風路３０内に吸入された空気が分岐ダクト４０内に流入し、ダクト部４１の開口部４１ａから吐出されることにより、ショーケース本体１０の下部側にエアカーテンが形成され、ショーケース本体１０内の下部側が冷却される。このとき、ショーケース本体１０内の上部側を加熱する場合は、棚板２１に設けられた電気ヒータによって上部側の商品棚２０が加熱される。また、分岐ダクト４０の上面の後端側が前端側に対して低くなるように段差部４１ｃが設けられているので、商品棚２０と分岐ダクト４０の後端側の上部との間の空間に電気ヒータのコード類が収納され、前面側からコード類が見えないようになっている。
【００１８】
また、分岐ダクト４０を取外すときは、図８に示すように、商品棚２０の左右両側のストッパ部２２ｂの前端を下方に押圧して弾性変形させ、図９に示すように、分岐ダクト４０を前面に移動させることにより、分岐ダクト４０が取外される。
【００１９】
このように、本実施形態のショーケースによれば、分岐ダクト４０を商品棚の支持部材２２の間に位置するように設けたので、分岐ダクト４０の下方の商品棚２０の商品載置面から分岐ダクト４０の下面までの高さを十分に確保することができ、他の商品棚２０と同様の高さの商品を陳列することができる。
【００２０】
また、分岐ダクト４０の上面を後端側が前面側に対して低くなるように段差部４１ｃが設けられているので、分岐ダクト４０の上部に位置する商品棚２０と分岐ダクト４０の上面との間に空間を形成することができ、形成された空間に電気ヒータのコード類を収納できるとともに、上部の商品棚２０を加熱している場合には、加熱する商品棚２０と冷却する商品棚２０との間の断熱性の向上を図ることができる。
【００２１】
また、分岐ダクト４０の左右両端部にショーケース本体１０内の空間を上下に仕切る仕切部材４５を設けたので、仕切部材４５によってショーケース本体１０内を分岐ダクト４０の上部と下部に確実に仕切ることができ、加熱と冷却を同時に行う場合に、各商品棚２０の熱の流出を防止することができる。
【００２２】
また、分岐ダクト４０を着脱自在に構成したので、必要に応じて分岐ダクト４０を取外したり、取付け位置の変更を容易に行うことができる。
【図面の簡単な説明】
【００２３】
【図１】本発明の一実施形態を示すショーケースの斜視図
【図２】ショーケースの正面図
【図３】ショーケースの側面断面図
【図４】ショーケースの要部斜視図
【図５】分岐ダクトの平面図
【図６】分岐ダクトの側面断面図
【図７】分岐ダクトの正面断面図
【図８】分岐ダクトを取外す動作を示す側面図
【図９】分岐ダクトを取外す動作を示す側面図
【符号の説明】
【００２４】
１０…ショーケース本体、２０…商品棚、２１…棚板、２２…支持部材、３０…通風路、４０…分岐ダクト、４１…ダクト部、４１ｃ…段差部、４５…仕切部材、５０…冷却器、６０…送風機。
【図１】
2005114178.tif 000003
【図２】
2005114178.tif 000004
【図３】
2005114178.tif 000005
【図４】
2005114178.tif 000006
【図５】
2005114178.tif 000007
【図６】
2005114178.tif 000008
【図７】
2005114178.tif 000009
【図８】
2005114178.tif 000010
【図９】
2005114178.tif 000011